(57)【要約】【課題】  ずり落ちるという心配がなく、しかも、少なくとも胸部から足元まで覆え且つ胸部や足元の防寒を選択的に図り得るブランケットを提供すること。【解決手段】  着座する乳幼児の前方にフロントバーが設置されたベビーカーに使用されるブランケットであって、長手方向の寸法は、着座する乳幼児の少なくとも胸部から足元までを覆える長さとなっており、表面には、前記長手方向のほぼ中間部に、前記フロントバーに係着され係着状態で当該中間部のずり落ちを防止する第１の係着部を備えることを特徴とする。【選択図】  図３
2007008199.tif 000002
【特許請求の範囲】
【請求項１】
着座する乳幼児の前方にフロントバーが設置されたベビーカーに使用されるブランケットであって、長手方向の寸法は、着座する乳幼児の少なくとも胸部から足元までを覆える長さとなっており、表面には、前記長手方向のほぼ中間部に、前記フロントバーに係着され係着状態で当該中間部のずり落ちを防止する第１の係着部を備えることを特徴とするブランケット。
【請求項２】
胸部側部分の両側縁に前記ベビーカーの左右フレームに係着され係着状態で当該胸部側部分の捲れを防止する第２の係着部を備えることを特徴とする請求項１記載のブランケット。
【請求項３】
前記第１の係着部の前記フロントバーへの係着を妨げない箇所に、互いに係着して前記ブランケットを前記長手方向で巻回した状態に保持する対をなす第３の係着部を備えたことを特徴とする請求項１又は２記載のブランケット。
【請求項４】
足元側部分には、互いに係着して前記ブランケットの足元側端部を前記長手方向内側に折り返した状態に保持する対をなす第４の係着部を備えたことを特徴とする請求項１から３いずれか一項に記載のブランケット。
【請求項５】
前記足元側部分には、互いに係着して前記ブランケットの足元側部分の両側縁同士を当該ブランケットの幅方向内側に折り返した状態で結合させる対をなす第５の係着部を備えたことを特徴とする請求項１から４いずれか一項に記載のブランケット。
【発明の詳細な説明】
【技術分野】
【０００１】
本発明は、ベビーカーに使用されるブランケットに関するものである。
【背景技術】
【０００２】
ベビーカーに乗せた乳幼児の防寒を目的として、ブランケットをベビーカーに取り付けるようにしたものは、種々提供されている（例えば、特許文献１、特許文献２）。
【０００３】
特許文献１に開示されている防寒具は、ベビーカーに乗せた乳幼児の脚部を覆うもので、上端部をバンドによってフロントバーに係着させるとともに、側部を伸縮性バンドによって左右フレームに取り付けるような構造となっており、また、特許文献２に開示されている防寒具は、ベビーカーに乗せた乳幼児の頭を除く全体をくるむもので、シートの中央部に形成した孔にベビーカーの安全ベルトを通すことによって、ベビーカーに取り付けるとともに、上部をハンドルの左右フレームに取り付けるような構造となっている。
【特許文献１】特開２００４−２６３３４６号公報（図１〜図３参照）
【特許文献２】特開平９−２２８１０５号公報（図１〜図４参照）
【発明の開示】
【発明が解決しようとする課題】
【０００４】
特許文献１記載のブランケットでは、ブランケットがずり落ちるという心配はないが足部の防寒しかできない。したがって、乳幼児の腹部や胸部の防寒を図ろうとすると別途、腹部や胸部を覆うブランケットを必要とするという問題がある。また、特許文献２記載のブランケットでは、ブランケットがずり落ちるという心配はないが乳幼児の足部のみの防寒を図ることが困難である。
【０００５】
本発明は、かかる問題点を解決するためになされたもので、ずり落ちるという心配がなく、しかも、少なくとも胸部から足元まで覆え且つ胸部や足元の防寒を選択的に図り得るブランケットを提供することを目的としている。
【課題を解決するための手段】
【０００６】
請求項１記載のブランケットは、着座する乳幼児の前方にフロントバーが設置されたベビーカーに使用されるブランケットであって、長手方向の寸法は、着座する乳幼児の少なくとも胸部から足元までを覆える長さとなっており、表面には、前記長手方向のほぼ中間部に、前記フロントバーに係着され係着状態で当該中間部のずり落ちを防止する第１の係着部を備えることを特徴とする。この場合の第１の係着部の例としては、舌片に面ファスナーを配設したもの，紐，端部に連結具を備えたベルト等が挙げられる。
【０００７】
請求項２記載のブランケットは、請求項１記載のブランケットにおいて、胸部側部分の両側縁に前記ベビーカーの左右フレームに係着され係着状態で当該胸部側部分の捲れを防止する第２の係着部を備えることを特徴とする。この場合の第２の係着部の例としては、舌片に面ファスナーを配設したもの，紐，端部に連結具を備えたベルト等が挙げられる。      
【０００８】
請求項３記載のブランケットは、請求項１又は２記載のブランケットにおいて、前記第１の係着部の前記フロントバーへの係着を妨げない箇所に、互いに係着して前記ブランケットを前記長手方向で巻回した状態に保持する対をなす第３の係着部を備えたことを特徴とする。対をなす第３の係着部としては、面ファスナーを構成するループテープ及びフックテープ、ボタン及びボタン穴、ホック、紐、端部に連結具を備えたベルト等が挙げられる。
【０００９】
請求項４記載のブランケットは、請求項１から３いずれか一項に記載のブランケットにおいて、足元側部分には、互いに係着して前記ブランケットの足元側端部を前記長手方向内側に折り返した状態に保持する対をなす第４の係着部を備えたことを特徴とする。対をなす第４の係着部としては、面ファスナーを構成するループテープ及びフックテープ、ボタン及びボタン穴、ホック、紐、端部に連結具を備えたベルト等が挙げられる。
【００１０】
請求項５記載のブランケットは、請求項１から４いずれか一項に記載のブランケットにおいて、前記足元側部分には、互いに係着して前記ブランケットの足元側部分の両側縁同士を当該ブランケットの幅方向内側に折り返した状態で結合させる対をなす第５の係着部を備えたことを特徴とする。対をなす第５の係着部としては、面ファスナーを構成するループテープ及びフックテープ、ボタン及びボタン穴、ホック、紐、端部に連結具を備えたベルト等が挙げられる。
【発明の効果】
【００１１】
請求項１の発明によれば、ベビーカーのフロントバーに第１の係着部を係着することによって、ブランケットがずり落ちたりするのを効果的に防止することができる。また、係着箇所で折って使用すれば、乳幼児の足部や胸部の防寒を選択的に図り得る。
【００１２】
請求項２の発明によれば、ベビーカーの左右フレームに第２の係着部を係着することによって、ブランケットの胸側部分が捲れ上がるのを効果的に防止することができる。
【００１３】
請求項３の発明によれば、ブランケットを使用しない場合には、フロントバーに第１の係着部を係着させた状態でブランケットを巻回し第３の係着部によってその巻回状態を保持することによって、ブランケットをコンパクトに纏めることができる。したがって、ベビーカーに乳幼児を乗せて外出する際にも、ブランケットを入れるための特別な袋等を用意しなくて済む。また、ブランケットの紛失も防止できることになる。
【００１４】
請求項４の発明によれば、ブランケットの足元側端部をブランケットの長手方向内側に折り返し第４の係着部によってその折返し状態を保持することによってブランケットの裾上げが可能となるので、乳幼児の背丈に応じてブランケットの長手方向長さを調整することができる。また、折り返した部分はブランケットが重畳され厚みを増すので、乳幼児の足元の防寒効果を高めることができる。
【００１５】
請求項５の発明によれば、ブランケットの足元側部分の両側縁同士を当該ブランケットの幅方向内側に折り返し第５の係着部によってその折返し状態を保持することによって乳幼児の足元をくるむことができるので、乳幼児の足元の防寒効果を高めることができる。
【発明を実施するための最良の形態】
【００１６】
以下に、本発明に係るブランケットを、図面を参照しながら説明する。
図１は本発明に係るブランケットを使用している状態を示す斜視図、図２は本発明に係るブランケットを巻回した状態を示す斜視図、図３は本発明に係るブランケットを展開した状態を示す斜視図、図４はブランケットを巻回した状態の側面図を示している。
【００１７】
ブランケット１０は、図１に示すように、長手方向の寸法は、着座する乳幼児の少なくとも胸部から足元までを覆える長さとなっている。このブランケット１０の表面には、長手方向のほぼ中間部に第１の係着部１１が設けられている。また、ブランケット１０の胸部側部分の両側縁に第２の係着部１２が設けられている。
【００１８】
このブランケット１０は、使用時には、例えば第１の係着部１１がベビーカー１のフロントバー２に係着され、第２の係着部１２がベビーカー１のハンドル３の左右のフレーム３ａ，３ａに係着される。一方、ブランケット１０は、非使用時には、図２及び図４に示すように、例えば第２の係着部１２の左右のフレーム３ａ，３ａへの係着が解除され、図２に示すように、フロントバー２の下側に巻回した状態に保持される。
【００１９】
次に、ブランケット１０の詳細について説明する。
ブランケット１０は、防寒布、例えば、キルティング等によって矩形状に形成されている（図３参照）。そして、ブランケット１０の表面には、長手方向のほぼ中間部に、幅方向に適宜間隔をもって、第１の係着部１１が付設されている。この第１の係着部１１は、例えば面ファスナーのループテープ及びフックテープからなる組から構成されている。
実施形態のブランケット１０では、ブランケット１０に２つの舌片１１ａを付設し、一方の舌片１１ａにはループテープ及びフックテープのうちの一方を、他方の舌片１１ａにはループテープ及びフックテープのうちの他方を取り付け、２つの舌片１１ａのうちの一方をフロントバー２の後側からフロントバー２に沿わして巻き掛け、２つの舌片１１ａのうちの他方をフロントバー２の前側からフロントバー２に沿わして巻き掛け、２つの舌片１１ａが会合した位置でループテープとフックテープとを係合させるようにしている。なお、ブランケット１０には１つの舌片を付設し、その舌片にはループテープ及びフックテープのうちの一方を、ブランケット１０の表面にはループテープ及びフックテープのうちの他方を取り付け、舌片１１ａをフロントバー２の前側又は後側からフロントバー２に沿わして巻き掛け、ループテープとフックテープとを係合させるようにしてもよい。
以上のように、実施形態のブランケット１０には第１の係着部１１が付設され、この第１の係着部１１がフロントバー２に係着される。
【００２０】
また、ブランケット１０の胸部側部分の両側縁には、例えば紐によって構成された第２の係着部１２が設けられている。
各第２の係着部１２は、例えば２つの紐１２ａ，１２ａからなる。そして、２つの紐１２ａ，１２ａのうちの一方をフレーム３ａの後側からフレーム３ａに沿わして巻き掛け、２つの紐１２ａ，１２ａのうちの他方をフレーム３ａの後側からフレーム３ａに沿わして巻き掛け、紐同士を互いに結ぶ。なお、各第２の係着部１２は、第１の係着部１１と同様に、面ファスナーのループテープ及びフックテープからなる組から構成されていてもよい。
以上のように、実施形態のブランケット１０には第２の係着部１２が付設され、この第２の係着部１２がそれぞれ左右のフレーム３ａ，３ａに係着される。
【００２１】
さらに、ブランケット１０には、図３に示すように、１２個のホック片（雄ホック又は雌ホック）が設けられている。これを図３以下でＨ１〜Ｈ１２の符号を用いて示してある。これらホック片についてその働きを中心に説明する。
【００２２】
ホック片Ｈ７，Ｈ８は、ブランケット１０の表面に長手方向に折返し可能に付設された布製の装飾体の裏側に付設されている。そして、このホック片Ｈ７，Ｈ８は、図３上で一点鎖線Ａ，Ａに沿ってブランケット１０の下端部（裾）をブランケット１０の長手方向内側に折り畳むと共に図３上で一点鎖線Ｂ，Ｂに沿ってブランケット１０の幅方向の両側部分をその幅方向内側に折り畳んだ後に、下半部（足元側部分）及び上半部（胸部側部分）の裏面同士が重なり合うように折り畳み、その重ねた下半部及び上半部を巻回した状態にすることで、ホック片Ｈ１，Ｈ２に嵌合される。これによって、ブランケット１０は、非使用時には、図２及び図４に示すように、フロントバー２の下側に巻回した状態に保持される。
【００２３】
ホック片Ｈ３，Ｈ４，Ｈ５は、ブランケット１０の下端部（裾）をブランケット１０の長手方向内側に折り畳んだ状態にすることで、ホック片Ｈ１０，Ｈ１１，Ｈ１２に嵌合できるようになっている。これによって、幼児の成長状態に合わせて、ブランケット１０の裾の長さ調整がなされることになる。
【００２４】
ホック片Ｈ６，Ｈ９は、ブランケット１０の足元側部分の両側縁同士を幅方向内側に折り返した状態で、互いに嵌合できるようになっている。これによって、乳幼児の足元をくるむことができる。また、この際に、ブランケット１０の下端部（裾）をブランケット１０の長手方向内側に折り畳んだ状態にし、ホック片Ｈ３，Ｈ４，Ｈ５をホック片Ｈ１０，Ｈ１１，Ｈ１２に嵌合させてもよいし、ホック片Ｈ３，Ｈ５をホック片Ｈ１０，Ｈ１２に嵌合させてもよい。このようにすれば、幼児の成長状態に合わせて、ブランケット１０の裾の長さ調整もなされることになる。
【００２５】
なお、ホック片Ｈ６，Ｈ９の双方は嵌合部がブランケット１０の裏面側にあってもよいし、一方のホック片の嵌合部はブランケット１０の表面側にあってもよい。
【００２６】
以上、本発明の実施形態について説明したが、本発明は、かかる実施形態に限定されるものではなく、その要旨を逸脱しない範囲で種々変形が可能であることはいうまでもない。
【図面の簡単な説明】
【００２７】
【図１】図１は本発明に係るブランケットを使用している状態を示す斜視図である。
【図２】図２は本発明に係るブランケットを巻回した状態を示す斜視図である。
【図３】図３は本発明に係るブランケットを展開した状態を示す斜視図である。
【図４】図４はブランケットを巻回した状態の側面図を示している。
【符号の説明】
【００２８】
１  ベビーカー
２  フロントバー
３  ハンドル
３ａ  左右フレーム
１０  ブランケット
１１  第１の係着部
１２  第２の係着部
Ｈ１〜Ｈ１２  ホック片（第３〜第５の係着部）
【図１】
2007008199.tif 000003
【図２】
2007008199.tif 000004
【図３】
2007008199.tif 000005
【図４】
2007008199.tif 000006